(57)【要約】【課題】折り方を示す折り線および折り順が予め印刷された折り紙であって、より簡単に且つ正確に折ることが出来る様に更に改良された折り紙を提供する。【解決手段】折り紙は、折り位置および折り方を示す２種類の折り線（１）〜（６ｊ）と、当該折り線の折り順を示す折り順符号（「マル１」，「マル２」…）とが印刷された折り紙であり、折り線（１）〜（６ｊ）は、多色に色分けされ、しかも、２回目以降の折り操作によって１つの部位と他の部位に現われ且つ次回以降の折り操作で同時に同一の折り方をする折り線が同一色に色分けされている。【選択図】図１
2008110069.tif 000002
【特許請求の範囲】
【請求項１】
折り位置および折り方を示す２種類の折り線と、当該折り線の折り順を示す折り順符号とが印刷された折り紙であって、前記折り線は、多色に色分けされ、しかも、２回目以降の折り操作によって１つの部位と他の部位に現われ且つ次回以降の折り操作で同時に同一の折り方をする折り線が同一色に色分けされていることを特徴とする折り紙。
【請求項２】
折り上がり状態において表側に現れる部位に絵柄が印刷されている請求項１に記載の折り紙。
【発明の詳細な説明】
【技術分野】
【０００１】
本発明は、折り紙に関するものであり、詳しくは、折り方を示す折り線および折り順が予め印刷され、解説書などを参照せずに簡単に折紙遊びが出来る折り紙に関するものである。
【背景技術】
【０００２】
折り紙は、日本文化の一つであるが、古くから折られている「鶴」や「風船」は、テーマとして子供に親しみ難く、また、大人にとっても折り方が難しく、次第に忘れられる傾向にある。そこで、昨今、折り紙の伝承、普及のため、より親しみやすいテーマを取り上げ、そして、解説書などを参照せずに簡単に折り上がる様に工夫された折り紙が検討されている。
【０００３】
上記の様な折り紙としては、例えば、山折か谷折かと言う折り方を示す２種の折り線と、次に何れの折り線で折るかと言う折りの順序を示す折り順番号とが折り方案内として紙面上に予め印刷された「折り紙」が提案されている。この様な折り紙によれば、折り順番号に従い、順次、折り線で且つその線種に応じた折り方で折ることにより、所定のテーマ形状に折り上げることが出来る。
【特許文献１】実用新案登録第３０８５０３５号公報
【発明の開示】
【発明が解決しようとする課題】
【０００４】
ところで、上記の様な折り順や折り方を示す案内が印刷された折り紙においては、例えば複数回折り畳んだ際、一面側から見て一部が重なり合った部位や隣接する部位に次の折り操作で同時に折らなければならない折り線が現れる場合がある。その場合、これら折り線の線種は同じであるが、折り順番号は、通常、一方の部位の折り線にだけ表示される様に印刷されている。従って、これら異なる部位の折り線を一緒に折るか否かを判別し難いと言う問題がある。
【０００５】
勿論、上記の様に同時に一緒に折る折り線については、各部位ごとに同じ折り順番号を表記することも出来る。しかしながら、複雑な形状のものは、折り数が多く、途中の折り工程で形成される部位にはそれぞれ多数の折り線が現れ、また、意匠性の観点から、折り順符号は、折り上がり状態において表側に現れない様に配置されるため、上記の様に各部位の折り線全てに折り順番号を表示しようとすると、狭い領域に折り線と折り順符号とが密集した状態となり、その結果、折り線を選択し難くなったり、折り線を間違える虞がある。
【０００６】
本発明は、上記の実情に鑑みなされたものであり、その目的は、折り方を示す折り線および折り順が予め印刷された折り紙であって、より簡単に且つ正確に折ることが出来る様に更に改良された折り紙を提供することにある。
【課題を解決するための手段】
【０００７】
上記の課題を解決するため、本発明の折り紙は、折り位置および折り方を示す２種類の折り線と、当該折り線の折り順を示す折り順符号とが印刷された折り紙であって、前記折り線は、多色に色分けされ、しかも、２回目以降の折り操作によって１つの部位と他の部位に現われ且つ次回以降の折り操作で同時に同一の折り方をする折り線が同一色に色分けされていることを特徴とする。
【０００８】
すなわち、本発明においては、山折、谷折を表す２種類の折り線およびこれに添えて折り順の符号を印刷すると共に、途中の折り工程で同時に複数の部位に現れる折り線のうち、次回以降の折り操作で同時に同一の折り方で折らなければならない折り線が同一色となる様に、各折り線を色分けし、これにより、異なる部位の一緒に折る同種の折り線の何れか１本にだけ折り順符号が添えられていても、次回以降の折り操作で一緒に折る折り線を直ちに識別できる様にした。
【発明の効果】
【０００９】
本発明の折り紙によれば、２回目以降の折り操作によって１つの部位と他の部位に現われる同一色の折り線を次回以降の折り操作で同時に同一の折り方をする折り線として識別できるため、より簡単に且つ正確に折ることが出来る。しかも、２回目以降の折り操作を行う場合、当該折り操作によって現われる１つの部位と他の部位の上記の同一色の折り線がずれの無い様に、これらの折り線を目安にして正確に折れるため、より一層綺麗に折り上げることが出来る。
【発明を実施するための最良の形態】
【００１０】
本発明に係る折り紙の一実施形態を図面に基づいて説明する。図１は、本発明に係る折り紙の一例の折る前の展開状態を示す平面図である。図２〜図６は、各々、図１の折り紙において第１回目〜第５回目の折り操作を行った後の途中の折り工程を示す正面図および背面図である。図７は、図１の折り紙において第６回目の折り操作を行った後の折り上がり状態を示す正面図および背面図である。なお、以下の実施形態では、「うさぎの顔」をテーマにした折り紙を一例として説明する。
【００１１】
本発明の折り紙は、図１に示す様に、通常は平面形状を正方形に形成され、その一面には、折り位置および折り方（山折、谷折）を示す２種類の折り線（１）〜（６ｊ）と、これら折り線の折り順を示す折り順符号（「マル１」〜「マル６」で示す符号）とが印刷されている。しかも、上記の折り線（１）〜（６ｊ）は、多色に色分けされている。
【００１２】
折り線（１）〜（６ｊ）は、その折り線上を折る様に折り位置を指示する目的、および、山折、谷折の何れの折り方で折るかを指示する目的で設けられている。折り線（１）〜（６ｊ）の線種としては２種が使用されている。例えば、折り方が山折の場合は一点鎖線で描かれており、谷折の場合は点線で描かれている。
【００１３】
上記の折り順符号は、次の折り操作においてどの折り線を使用するかと言う順序を示す符号であり、一般的には数字で表記されている。折り順符号は、折りの順序を識別し得る限り、アルファベット、五十音などの他の符号でもよい。そして、斯かる折り順符号は、上記の折り線（１）〜（６ｊ）に添えて且つ折り上がり状態（図７（ａ）参照）において表側に現れない位置に設けられている。
【００１４】
更に、折り線（１）〜（６ｊ）は、例えば折り順に従って多色に色分けされている。すなわち、折り操作ごとに異なる色の折り線を折る様に、多色に色分けされている。図１に示す例では、後述する様に６回の折り操作を行うため、折り線（１）〜（６ｊ）が６色に色分けされている。これにより、次の折り操作で使用する折り線をより明確に識別することが出来る。しかも、本発明においては、第２回目以降の折り操作によって１つの部位と他の部位（例えば図３（ｂ）の符号（Ａ１）と（Ａ２）の部位）に現われ且つ次回以降の折り操作で同時に同一の折り方をする折り線（例えば図３（ｂ）の符号（４ｃ）と（４ａ）の折り線）が同一色に色分けされている。
【００１５】
図１に示す「うさぎの顔」の折り紙において、折り線（１）〜（６ｊ）は、正方形の紙面に次の様に描かれている。すなわち、折り線（１）は、紙面を２分する１つの対角線の位置に描かれている。折り線（２ａ）、（３ａ）、（４ａ）、（４ｄ）、（５ａ）、（５ｄ）、（６ａ）、（６ｇ）、（６ｈ）、（６ｉ）、（６ｊ）は、折り線（１）で区切られた一方の直角二等辺三角形の領域（図面の下方の領域）に描かれている。
【００１６】
上記の折り線うち、折り線（２ａ）は、折り線（１）から幾分離れた位置に折り線（１）と平行に描かれている。折り線（３ａ）は、折り線（１）から離間した正方形の紙面の角部（上記の直角二等辺三角形の直角部分）に折り線（１）と平行に描かれている。折り線（４ａ）は、折り線（２ａ）で区切られた直角二等辺三角形の一辺（図面の下方の逆三角形の左側の一辺）の中央と折り線（２ａ）の中央とを結ぶ位置に描かれている。折り線（４ｄ）は、折り線（２ａ）の中央から折り線（１）へ向けて、折り線（４ａ）に直交して描かれている。折り線（５ａ）は、折り線（２ａ）で区切られた直角二等辺三角形の他の一辺（図面の下方の逆三角形の右側の一辺）の中央と折り線（２ａ）の中央とを結ぶ位置に描かれている。また、折り線（５ｄ）は、折り線（２ａ）の中央から折り線（１）へ向けて、折り線（５ａ）に直交して描かれている。
【００１７】
折り線（６ａ）、（６ｇ）、（６ｈ）、（６ｉ）、（６ｊ）は、上記の折り線（１）の中央の一部を一辺とする正方形の他の三辺を構成する線として描かれており、折り線（６ａ）は、折り線（１）及び（２ａ）と平行で且つ折り線（１）と折り線（２ａ）の離間距離の２倍の距離だけ折り線（１）から離れた位置に折り線（４ａ）と折り線（５ａ）とに亘って描かれている。折り線（６ｇ）は、折り線（６ａ）と折り線（１）を結ぶ正方形の一辺のうちの折り線（６ａ）から折り線（２ａ）に至る一辺の長さの１／２部分を構成する線として描かれており、また、折り線（６ｈ）は、前記の正方形の一辺のうちの折り線（２ａ）から折り線（１）に至る一辺の長さの他の１／２部分を構成する線として描かれている。そして、折り線（６ｉ）及び（６ｊ）は、これらで正方形の残りの一辺を構成し且つ上記の折り線（６ｇ）及び（６ｈ）と平行な線として描かれている。
【００１８】
一方、折り線（２ｂ）、（３ｂ）、（４ｂ）、（４ｃ）、（５ｂ）、（５ｃ）、（６ｂ）、（６ｃ）、（６ｄ）、（６ｅ）、（６ｆ）は、折り線（１）で区切られた他方の直角二等辺三角形の領域（図面の上方の領域）に描かれており、かつ、これらの折り線は、各々、折り線（１）を中心に上記の折り線（２ａ）、（３ａ）、（４ａ）、（４ｄ）、（５ａ）、（５ｄ）、（６ａ）、（６ｇ）、（６ｈ）、（６ｉ）、（６ｊ）と対称な位置に描かれている。そして、上記の各折り線（１）〜（６ｊ）は、線種、色、折り順を例えば以下の表に示す様に設定されている。
【００１９】
【表１】
2008110069.tif 000003
【００２０】
上記の図１に示す「うさぎの顔」の折り紙は、図２〜図７に示す様に、以下の折り操作を順に行うことによって折り上げることが出来る。なお、図２〜図７においては、各々、分図（ａ）が表側の面（意匠面）を示す図であり、分図（ｂ）が裏側の面を示す図である。
【００２１】
先ず、第１回目の折り操作として、図１に示す状態において、折り順符号「マル１」が添えられた折り線（１）（黒色の一点鎖線）で折り紙の紙面中央を山折にして、図２に示す様な三角形を形成する。そして、図２（ｂ）に示す様に裏側の面を上に向ける。次いで、第２回目の折り操作として、図２（ｂ）に示す状態から、折り順符号「マル２」が添えられた折り線（２ａ）（赤色の点線）で三角形の底辺近傍を谷折にして、図３に示す様な略兜形を形成する。そして、図３（ｂ）に示す様に裏側の面を上に向ける。
【００２２】
本発明の折り紙においては、図３（ｂ）に示す様に、上記の第２回目の折り操作を行った場合、船形状の１つの部位（Ａ１）に現われる折り線（４ｃ）と三角形状の他の部位（Ａ２）に現われる折り線（４ａ）が、後の折り操作で同時に同一の折り方をする折り線として、それぞれ点線で描かれ且つ黄色に色分けされている。また、上記の１つの部位（Ａ１）に現われる折り線（５ｃ）と上記の他の部位（Ａ２）に現われる折り線（５ａ）が、後の折り操作で同時に同一の折り方をする折り線として、それぞれ点線で緑色に色分けされている。
【００２３】
そこで、本発明の折り紙においては、上記の折り線（４ｃ）、（４ａ）、（５ｃ）及び（５ａ）を見て折りの正確性を確認することが出来る。すなわち、同一色である黄色の折り線（４ｃ）と折り線（４ａ）、および、同一色である緑色の折り線（５ｃ）と折り線（５ａ）が各一直線に揃った状態であれば、第１回目および第２回目の折り操作が正確になされていたと判別でき、また、一直線に揃っていない状態であれば、第２回目までの折り操作が正確になされていなかったと判別できる。そして、上記の各折り線が一直線に揃っていない場合は、第２回目までの折り操作をやりなおす。
【００２４】
続いて、第３回目の折り操作として、図３（ｂ）に示す状態から、折り順符号「マル３」が添えられた折り線（３ａ）（青色の点線）で三角形の頂点近傍を谷折にして、図４に示す様な略帽子形を形成する。更に、第４回目の折り操作として、図４（ｂ）に示す状態から、折り順符号「マル４」が添えられた前述の折り線（４ａ）、（４ｃ）（黄色の点線）で略帽子形の一方の鍔部分を谷折にして、図５に示す様なうさぎの一方の耳部分を作成する。その際、本発明の折り紙においては、前述の様に、２回目の折り操作によって１つの部位（Ａ１）に現われる折り線（４ｃ）と他の部位（Ａ２）に現われる折り線（４ａ）がそれぞれ点線で描かれ且つ黄色に色分けされている（図４（ｂ）参照）。従って、第４回目の折り操作を行うに当たり、折り線（４ａ）及び（４ｃ）を同時に同一の折り方をする折り線、すなわち、一緒に折る折り線として直ちに識別できる。
【００２５】
次いで、第５回目の折り操作として、図５（ｂ）に示す状態から、折り順符号「マル５」が添えられた前述の折り線（５ａ）、（５ｃ）（緑色の点線）で前述の略帽子形の他方の鍔部分を谷折にして、図６に示す様なうさぎの他方の耳部分を作成し、菱形の上角部に２つの耳が突出した形状とする。その際、本発明の折り紙においては、前述の様に、２回目の折り操作によって１つの部位（Ａ１）に現われる折り線（５ｃ）と他の部位（Ａ２）に現われる折り線（５ａ）がそれぞれ点線で描かれ且つ緑色に色分けされている（図４（ｂ）、図５（ｂ）参照）。従って、第５回目の折り操作を行うに当たり、第４回目の折り操作におけるのと同様に、折り線（５ａ）及び（５ｃ）を同時に同一の折り方をする折り線、すなわち、一緒に折る折り線として直ちに識別できる。
【００２６】
上記の第５回目の折り操作を行った場合には、図６（ａ）に示す様に、折り順符号「マル６」が添えられた折り線（６ｂ）（橙色の一点鎖線）が菱形の下角部に現れている。そして、図６（ｂ）に示す様に裏返した場合、第５回目の折り操作によって１つの部位（Ｃ１）に現われる折り線（６ｅ）と他の部位（Ｃ２）に現われる折り線（６ｃ）がそれぞれ点線で描かれ且つ橙色に色分けされている。従って、本発明の折り紙においては、前述の場合と同様に、上記の折り線（６ｅ）及び（６ｃ）を見て第５回目までの折りの正確性を直ちに確認することが出来る。
【００２７】
次いで、図６（ｂ）に示す状態から、第６回目の折り操作として、折り線（６ｅ）及び（６ｃ）（橙色の点線）で菱形の下角部を谷折に折る。その際も、本発明の折り紙においては、第４回目、第５回目の折り操作におけるのと同様に、折り線（６ｃ）及び（６ｅ）を同時に同一の折り方をする折り線、すなわち、一緒に折る折り線として直ちに識別できる。そして、上記の第６回目の折り操作を行うことにより、図７に示す様な「うさぎの顔」を織り上げることが出来る。
【００２８】
上記の様に、本発明の折り紙においては、山折、谷折を表す２種類の折り線（１）〜（６ｊ）及びこれに添えて折り順符号「マル１」〜「マル６」が印刷され、かつ、途中の折り工程で同時に複数の部位、例えば符号（Ａ１）、（Ａ２）で示す部位（図３（ｂ）、図４（ｂ）参照）に現れる折り線のうち、次回以降の折り操作で同時に同一の折り方で折らなければならない折り線（４ｃ）と（４ａ）、折り線（５ｃ）と（５ａ）が各同一色に色分けされている。
【００２９】
従って、本発明によれば、異なる部位（Ａ１）、（Ａ２）の同種の折り線（４ｃ）と（４ａ）、折り線（５ｃ）と（５ａ）に対し、何れか一方にだけ折り順符号「マル４」、「マル５」が添えられていることにより、次回以降の折り操作で一緒に折る折り線として直ちに識別でき、より簡単に且つ正確に折ることが出来る。しかも、例えば第２回目の折り操作を行う場合に、当該折り操作によって現われる１つの部位（Ａ１）と他の部位（Ａ２）の同一色の折り線（４ｃ）と（４ａ）、折り線（５ｃ）と（５ａ）がずれの無い様に、これらの折り線（４ｃ）及び（４ａ）、折り線（５ｃ）及び（５ａ）を目安にして正確に折れるため、より一層綺麗に折り上げることが出来る。
【００３０】
また、本発明の折り紙においては、図７（ａ）に示す様に、折り上がり状態において表側に現れる部位に絵柄が印刷されていてもよい。具体的には、図１に示す様に、折り線（１）で区画された直角二等辺三角形（第２回目の折り操作によって形成される図２（ａ）に示す三角形）の略中央部に「目鼻」がカラーで描かれ、また、前記の直角二等辺三角形の底辺両端近傍にカラーで「耳」が描かれている。そして、図７に示す様に折り上げた場合、表側において上記の絵柄が「うさぎの顔」の「目鼻」及び「耳」が現れる様に構成されている。本発明の折り紙においては、上記の様に、テーマ形状に応じて折り上がりの際に完成する絵柄が印刷されていることにより、折紙遊びの楽しみを一層喚起することが出来る。
【図面の簡単な説明】
【００３１】
【図１】本発明に係る折り紙の一例の折る前の展開状態を示す平面図である。
【図２】図１の折り紙において第１回目の折り操作を行った後の途中の折り工程を示す正面図および背面図である。
【図３】図１の折り紙において第２回目の折り操作を行った後の途中の折り工程を示す正面図および背面図である。
【図４】図１の折り紙において第３回目の折り操作を行った後の途中の折り工程を示す正面図および背面図である。
【図５】図１の折り紙において第４回目の折り操作を行った後の途中の折り工程を示す正面図および背面図である。
【図６】図１の折り紙において第５回目の折り操作を行った後の途中の折り工程を示す正面図および背面図である。
【図７】図１の折り紙において第６回目の折り操作を行った後の折り上がり状態を示す正面図および背面図である。
【符号の説明】
【００３２】
１  ：折り線（山折線）
２ａ：折り線（谷折線）
２ｂ：折り線（山折線）
３ａ：折り線（谷折線）
３ｂ：折り線（山折線）
４ａ：折り線（谷折線）
４ｂ：折り線（山折線）
４ｃ：折り線（谷折線）
４ｄ：折り線（山折線）
５ａ：折り線（谷折線）
５ｂ：折り線（山折線）
５ｃ：折り線（谷折線）
５ｄ：折り線（山折線）
６ａ：折り線（谷折線）
６ｂ：折り線（山折線）
６ｃ：折り線（谷折線）
６ｄ：折り線（山折線）
６ｅ：折り線（谷折線）
６ｆ：折り線（山折線）
６ｇ：折り線（谷折線）
６ｈ：折り線（山折線）
６ｉ：折り線（谷折線）
６ｊ：折り線（山折線）
Ａ１：１つの部位
Ａ２：他の部位
Ｃ１：１つの部位
Ｃ２：他の部位
【図１】
2008110069.tif 000004
【図２】
2008110069.tif 000005
【図３】
2008110069.tif 000006
【図４】
2008110069.tif 000007
【図５】
2008110069.tif 000008
【図６】
2008110069.tif 000009
【図７】
2008110069.tif 000010